(57)【要約】【課題】本考案は、家の中の雰囲気を壊さずに故人を供養する遺骨箱を提供することを目的とする。【解決手段】本考案は、家の中で用いる遺骨箱１であって、筺体１０と、この筺体１０の正面中央部分に配設され、故人に係る情報を表示する表示部４と、筺体１０の内部に設けられ、少なくとも故人の遺骨を収容する収容部８ａ乃至８ｃと、この収容部８ａ乃至８ｃに少なくとも遺骨を収容するために、筺体１０の背面に開閉自在に設けられた開閉部５ａ，５ｂとを備えたことを特徴とする。象嵌等による加飾が施されてもよい。【選択図】  図４
0003164736.tif 000002
【実用新案登録請求の範囲】
【請求項１】
家の中で用いる遺骨箱であって、
筺体と、
上記筺体の正面中央部分に配設され、故人に係る情報を表示する表示部と、
上記筺体の内部に設けられ、少なくとも上記故人の遺骨を収容する収容部と、
上記収容部に少なくとも上記遺骨を収容するために、上記筺体の背面に開閉自在に設けられた開閉部と、
を備えたことを特徴とする遺骨箱。
【請求項２】
上記収容部に設けられ、後方に向けてスライドによる引き出し自在とされた底板部を更に備えたことを特徴とする請求項１に記載の遺骨箱。
【請求項３】
象嵌による加飾が施されたことを特徴とする請求項１に記載の遺骨箱。
【考案の詳細な説明】
【技術分野】
【０００１】
本考案は、家の中で用いる遺骨箱に関する。
【背景技術】
【０００２】
従来、日本では、火葬後に遺骨をお墓に収容するのが一般的であるが、お墓は、地方自治体、寺院や教会が保有・管理することが多い。そして、今日、都心では、用地不足、土地の値段が未だに高いことに鑑みて、所謂マンション型の墓地も採用されている。これは骨壷を霊廟や納骨堂内のロッカーに安置する形式のものである。
【０００３】
さらに、今日では、墓地が経済的にも立地的にも身近なものでないことに鑑みて、家の中で遺骨を管理して、故人を供養したいとのニーズも高まっている。また、人によっては生前に自らの墓を購入することがあり、これを寿陵墓、或いは逆修墓というが、自らの嗜好をより反映させたお墓を購入したいというニーズもある。
【０００４】
ここで、特許文献１では、箱形のお墓が開示されている。
【先行技術文献】
【特許文献】
【０００５】
【特許文献１】特開２００２−４６４１号公報
【考案の概要】
【考案が解決しようとする課題】
【０００６】
しかしながら、家の中で遺骨を管理し故人を供養する場合には、家の中の雰囲気を壊すことなく、遺骨を収容する遺骨箱が必要となるが、そのような遺骨箱は世の中に存在していない。さらに、単に家の中の雰囲気を壊さないだけでなく、故人の生前の嗜好や性格などが思い出されるような個性的な遺骨箱の実現も嘱望されている。
【０００７】
そこで、本考案は上述の技術的な課題に鑑み、家の中の雰囲気を壊さずに故人を供養することができる家の中で用いる遺骨箱を提供することを目的とする。
【課題を解決するための手段】
【０００８】
上述技術的な課題を解決するため、本考案の一態様に係る遺骨箱は、家の中で用いる遺骨箱であって、筺体と、上記筺体の正面中央部分に配設され、故人に係る情報を表示する表示部と、上記筺体の内部に設けられ、少なくとも上記故人の遺骨を収容する収容部と、上記収容部に少なくとも上記遺骨を収容するために、上記筺体の背面に開閉自在に設けられた開閉部と、を備えたことを特徴としている。
【０００９】
ここで、上記収容部に設けられ、後方に向けてスライドによる引き出し自在とされた底板部を更に備えたことを特徴としてもよい。
【００１０】
さらに、象嵌による加飾が施されたことを特徴としてもよい。
【考案の効果】
【００１１】
本考案に係る家の中で用いる遺骨箱によれば、家の中の雰囲気を壊さずに故人を供養することが可能となる。
【図面の簡単な説明】
【００１２】
【図１】本考案の一実施形態に係る遺骨箱の正面図である。
【図２】本考案の一実施形態に係る遺骨箱の上面図である。
【図３】本考案の一実施形態に係る遺骨箱の側面図である。
【図４】本考案の一実施形態に係る遺骨箱の内部構造を示す図である。
【考案を実施するための形態】
【００１３】
以下、本考案の遺骨箱に係る好適な実施形態について図面を参照しながら説明する。本考案の遺骨箱は、以下の記述に限定されるものではなく、本考案の要旨を逸脱しない範囲において、適宜変更可能である。
【００１４】
図１には本考案の一実施形態に係る遺骨箱の正面図を示し、図２には当該遺骨箱の上面図を示し、図３には当該遺骨箱の側面図を示し、図４には当該遺骨箱の内部構造を示し、その構成について詳細に説明する。この遺骨箱は、家の中で用いるものである。即ち、「家の中で用いるお墓」として機能するものでもある。
【００１５】
これらの図に示されるように、この遺骨箱１は、筺体１０を備えている。この筺体１０は、正面から見ると略逆Ｔ字形状となっている。筺体１０の各側面は、底面から所定の曲率で円弧状に延びた第１の部分と、その円弧状に延びた第１の部分の終端から略垂直に立ち上がり途中から上記第１の部分の曲率よりも緩やかな所定の曲率で円弧状に延びた第２の部分とを有し、左右の側面が筺体１０の上端において接続されている。この接続により筺体１０の上面は緩やかな円弧状となっている。筺体１０の背面には、後述するように開閉部５ａ，５ｂが設けられている。筺体１０の底面には、この例では３本の脚部２ａ乃至２ｃが配設されている。脚部は３本に限られず、更に複数配設してもよい。更に遺骨箱の筺体１０の両側面（特に側面の上記第２の部分）には、飾り部３ａ乃至３ｄが設けられている。これら飾り部３ａ乃至３ｄも含めて、遺骨箱１の筺体１０には、例えば「象嵌」による加飾がなされている。
【００１６】
ここで、「象嵌」とは、工芸品等の加飾法の一つであり、地の素材を彫って、その部分に他の素材を嵌め込み模様を表す技法である。
【００１７】
遺骨箱１の筺体１０の正面中央部分には、例えば故人の名前や愛称、座右の銘等を記す表示部４が設けられている。即ち、表示部４には、故人に係る情報が表示される。
【００１８】
遺骨箱１の筺体１０の背面には、開閉部５ａ，５ｂが開閉自在に配設されている。即ち筺体１０の背面では、開閉部５ａ，５ｂがヒンジ部６により例えば観音開き方式で開くようになっており、筺体１０の内部には、例えば遺骨や遺品等が収容される収容部８ａ乃至８ｃが設けられている。この各収容部８ａ乃至８ｃの底板部９ａ乃至９ｃを、後方に向けてスライドによる引き出し自在として、遺骨等を収容しやすいようにしてもよい。さらにこの収容部の下には、引き出し部７が設けられており、筺体１０の前面側より引き出し可能となっている。
【００１９】
遺骨箱１の材質としては、例えばマホガニー等を採用することができる。但し、これには限定されない。
【００２０】
ここで、マホガニー（mahogany）とは、センダン科マホガニー属（Swietenia）に属する以下の３種の木本の総称である。高級木材として知られている。
・オオバマホガニー S. macrophylla King 
・マホガニー S. mahogani （L.）Jacq. 
・メキシコマホガニー S. humilis Zucc. 
いずれも原産地は中米から南米にわたり、生息地域ごとに分類されている。丈夫で加工しやすく特に心材は赤みをもった美しい光沢を示す。
【００２１】
この遺骨箱のサイズの一例を挙げると、幅が４００ｍｍ、奥行きが２５０ｍｍ、高さが４００ｍｍ等とすることができる。但し、これには限定されない。
【００２２】
このように、この実施形態に係る遺骨箱は、象嵌等により個性的なデザインとすることができ、家の中で用いても、家の雰囲気を壊すことなく、据え置くことができる。更に、サイズも上述したようにコンパクトなので、スペースをとらない。また、引き出し部７を有しているので関連品を収納することもできる。
【００２３】
以上詳述したように、本考案の一つの実施形態によれば、家の中で用いる遺骨箱１であって、筺体１０と、上記筺体１０の正面中央部分に配設され、故人に係る情報を表示する表示部４と、上記筺体１０の内部に設けられ、少なくとも上記故人の遺骨を収容する収容部８ａ乃至８ｃと、上記収容部８ａ乃至８ｃに少なくとも上記遺骨を収容するために、上記筺体１０の背面に開閉自在に設けられた開閉部５ａ，５ｂと、を備えたことを特徴とする遺骨箱が提供される。
【００２４】
ここで、上記収容部８ａ乃至８ｃに設けられ、後方に向けてスライドによる引き出し自在とされた底板部９ａ乃至９ｃを更に備えたことを特徴としてもよい。
【００２５】
さらに、象嵌による加飾が施されたことを特徴としてもよい。
【００２６】
また、本考案の一つの実施形態によれば、家の中で用いる遺骨箱１であって、正面から見ると略逆Ｔ字形状となっており、左右の各側面が、底面から所定の曲率で円弧状に延びた第１の部分と、該第１の部分の終端から略垂直に立ち上がり途中（略中央付近）から上記第１の部分の曲率よりも緩やかな所定の曲率で円弧状に延びた第２の部分とを有しており、左右の側面が上端において接続され緩やかな円弧状の上面を構成した筺体１０と、上記筺体１０の上記底面に設けられた複数の脚部２ａ乃至２ｃと、上記筺体１０の上記側面の上記第２の部分に配設された飾り部３ａ乃至３ｄと、上記筺体１０の正面中央部分に配設され、故人に係る情報を表示する表示部４と、上記筺体１０の内部に設けられ、少なくとも上記故人の遺骨を収容する収容部８ａ乃至８ｃと、上記収容部８ａ乃至８ｃに少なくとも上記遺骨を収容するために上記筺体１０の背面に開閉自在に設けられた開閉部５ａ，５ｂとを備え、少なくとも上記筺体１０並びに飾り部３ａ乃至３ｄには、象嵌による加飾が施されていることを特徴とする遺骨箱１が提供される。
【符号の説明】
【００２７】
１  遺骨箱
２ａ〜２ｃ  脚部
３ａ〜３ｄ  飾り部
４  表示部
５ａ，５ｂ  開閉部
６  ヒンジ部
７  引き出し部
８ａ〜８ｃ  収容部
９ａ〜９ｃ  底板部
１０  筺体
【図１】
0003164736.tif 000003
【図２】
0003164736.tif 000004
【図３】
0003164736.tif 000005
【図４】
0003164736.tif 000006